(57)【要約】【課題】従来の広告情報処理システムにおいては、ある企業を批判しているブログやＳＮＳや掲示板などに、批判対象の企業の商品の広告が表示されたりする場合があった。【解決手段】キーワードと評判に関する情報である第一評判情報と広告情報とを有する出力広告情報を１以上格納しており、出力情報識別情報とキーワードと評判に関する情報である第二評判情報を有する出力情報評価情報を１以上格納しており、端末装置から出力情報識別情報を受信し、前記受信した出力情報識別情報に対応する出力情報評価情報が有するキーワードと第二評判情報を取得し、当該キーワードと第二評判情報と所定の関係があるキーワードと第一評判情報を検索し、当該検索したキーワードと第一評判情報と対になる広告情報を、検索し、前記検索した広告情報を端末装置に送信する広告情報サーバ装置により、有効に広告を提示できる。【選択図】図１
2008052463.tif 000002
【特許請求の範囲】
【請求項１】
情報サーバ装置と広告情報サーバ装置と端末装置を具備する広告情報処理システムであって、
前記情報サーバ装置は、
前記端末装置に出力する情報である出力情報を１以上格納している出力情報格納部と、
出力情報の送信を要求する出力要求を前記端末装置から受信する出力要求受信部と、
前記出力要求の受信に応じて、前記出力情報格納部から出力情報を読み出し、当該出力情報を前記端末装置に送信する出力情報送信部を具備し、
前記広告情報サーバ装置は、
キーワードと評判に関する情報である第一評判情報と広告情報とを有する出力広告情報を1以上格納している出力広告情報格納部と、
出力情報を識別する情報である出力情報識別情報とキーワードと評判に関する情報である第二評判情報を有する出力情報評価情報を１以上格納している出力情報評価情報格納部と、
前記端末装置から出力情報識別情報を受信する出力情報識別情報受信部と、
前記出力情報識別情報受信部が受信した出力情報識別情報に対応する出力情報評価情報が有するキーワードと第二評判情報を前記出力情報評価情報格納部から取得し、当該キーワードと第二評判情報と所定の関係があるキーワードと第一評判情報を検索し、当該検索したキーワードと第一評判情報と対になる広告情報を、前記出力広告情報格納部から検索する広告情報検索部と、
前記広告情報検索部が検索した広告情報を前記端末装置に送信する広告情報送信部を具備し、
前記端末装置は、
前記情報サーバ装置に対して出力情報の送信を要求する出力要求を受け付ける受付部と、
前記出力要求を前記情報サーバ装置に送信する出力要求送信部と、
前記出力要求の送信に応じて、前記情報サーバ装置から出力情報を受信する出力情報受信部と、
前記出力情報受信部が受信した出力情報を識別する出力情報識別情報を前記広告情報サーバ装置に送信する出力情報識別情報送信部と、
前記出力情報識別情報の送信に対応して、前記広告情報サーバ装置から広告情報を受信する広告情報受信部と、
前記出力情報受信部が受信した出力情報と、前記広告情報受信部が受信した広告情報を出力する出力部を具備する広告情報処理システム。
【請求項２】
広告情報サーバ装置と端末装置を具備する広告情報処理システムであって、
前記広告情報サーバ装置は、
前記端末装置に出力する情報であり、広告情報を出力するための情報である広告出力指示情報を含む情報である出力情報を１以上格納している出力情報格納部と、
出力情報の送信を要求する出力要求を前記端末装置から受信する出力要求受信部と、
前記出力要求の受信に応じて、前記出力情報格納部から出力情報を読み出し、当該出力情報を前記端末装置に送信する出力情報送信部と、
キーワードと評判に関する情報である第一評判情報と広告情報とを有する出力広告情報を1以上格納している出力広告情報格納部と、
出力情報を識別する情報である出力情報識別情報とキーワードと評判に関する情報である第二評判情報を有する出力情報評価情報を１以上格納している出力情報評価情報格納部と、
前記端末装置から出力情報識別情報を受信する出力情報識別情報受信部と、
前記出力情報識別情報受信部が受信した出力情報識別情報が含まれる出力情報評価情報が有するキーワードと第二評判情報を前記出力情報評価情報格納部から取得し、当該キーワードと第二評判情報と所定の関係があるキーワードと第一評判情報を検索し、当該検索したキーワードと第一評判情報と対になる広告情報を、前記出力広告情報格納部から検索する広告情報検索部と、
前記広告情報検索部が検索した広告情報を前記端末装置に送信する広告情報送信部を具備し、
前記端末装置は、
前記広告情報サーバ装置に対して出力情報の送信を要求する出力要求を受け付ける受付部と、
前記出力要求を前記広告情報サーバ装置に送信する出力要求送信部と、
前記出力要求の送信に応じて、前記広告情報サーバ装置から出力情報を受信する出力情報受信部と、
前記出力情報から広告出力指示情報を取得し、当該広告出力指示情報を用いて、前記広告情報サーバ装置に出力情報識別情報を送信する出力情報識別情報送信部と、
前記出力情報識別情報の送信に対応して、前記広告情報サーバ装置から広告情報を受信する広告情報受信部と、
前記出力情報受信部が受信した出力情報と、前記広告情報受信部が受信した広告情報を出力する出力部を具備する広告情報処理システム。
【請求項３】
前記第一評判情報および前記第二評判情報は、キーワードに対するポジティブ度またはネガティブ度を定量的に示す情報であり、
前記出力広告情報は、キーワードと第一評判情報とを用いた広告出力の条件を示す条件情報と広告情報を有し、
前記広告情報検索部は、
前記出力情報識別情報受信部が受信した出力情報識別情報が含まれる出力情報評価情報が有するキーワードと第二評判情報を前記出力情報評価情報格納部から取得し、当該キーワードと第二評判情報が前記条件情報の示す条件に合致する出力広告情報が有する広告情報を、前記出力広告情報格納部から検索する請求項１または請求項２記載の広告情報処理システム。
【請求項４】
前記広告情報サーバ装置は、
評判を示す用語である評判用語と評判の程度を示す情報である評判程度情報を有する評判情報を１以上格納している評判情報格納部と、
１以上の各出力情報から１以上のキーワードと１以上の評判用語を抽出する用語抽出部と、
前記用語抽出部が抽出した１以上の各評判用語と対になる１以上の評判程度情報を前記評判情報格納部から検索する評判程度情報検索部と、
前記評判程度情報検索部が検索した１以上の評判程度情報を用いて１以上の第二評判情報を構成する第二評判情報構成部と、
前記第二評判情報構成部が構成した１以上の第二評判情報と前記用語抽出部が抽出した１以上のキーワードと、前記用語抽出部の処理対象の１以上の出力情報を識別する各出力情報識別情報を用いて、１以上の出力情報評価情報を構成する出力情報評価情報構成部と、
前記出力情報評価情報構成部が構成した１以上の出力情報評価情報を前記出力情報評価情報格納部に蓄積する出力情報評価情報蓄積部とをさらに具備する請求項１から請求項３いずれか記載の広告情報処理システム。
【請求項５】
請求項１から請求項４いずれか記載の広告情報処理システムを構成する広告情報サーバ装置。
【請求項６】
キーワードと評判に関する情報である第一評判情報と広告情報とを有する出力広告情報を1以上格納している出力広告情報格納部と、
出力情報を識別する情報である出力情報識別情報とキーワードと評判に関する情報である第二評判情報を有する出力情報評価情報を１以上格納している出力情報評価情報格納部と、
端末装置から出力情報識別情報を受信する出力情報識別情報受信部と、
前記出力情報識別情報受信部が受信した出力情報識別情報に対応する出力情報評価情報が有するキーワードと第二評判情報を前記出力情報評価情報格納部から取得し、当該キーワードと第二評判情報と所定の関係があるキーワードと第一評判情報を検索し、当該検索したキーワードと第一評判情報と対になる広告情報を、前記出力広告情報格納部から検索する広告情報検索部と、
前記広告情報検索部が検索した広告情報を前記端末装置に送信する広告情報送信部を具備する広告情報サーバ装置。
【請求項７】
端末装置から出力情報識別情報を受信し、当該出力情報識別情報をメモリ上に配置するステップと、
前記メモリ上に配置した出力情報識別情報に対応するキーワードと第二評判情報を、前記記録媒体から読み出し、メモリ上に配置するステップと、
当該キーワードと第二評判情報と所定の関係があるキーワードと第一評判情報を検索し、前記記録媒体から読み出し、メモリ上に配置するステップと、
当該キーワードと第一評判情報と対になる広告情報を、前記記録媒体から検索するステップと、
前記検索した広告情報を前記端末装置に送信するステップを具備する広告情報処理方法。
【請求項８】
キーワードと評判に関する情報である第一評判情報と広告情報とを有する出力広告情報を1以上、記録媒体に格納しており、
出力情報を識別する情報である出力情報識別情報とキーワードと評判に関する情報である第二評判情報を有する出力情報評価情報を１以上、記録媒体に格納しており、
コンピュータに、
端末装置から出力情報識別情報を受信し、当該出力情報識別情報をメモリ上に配置するステップと、
前記メモリ上に配置した出力情報識別情報に対応するキーワードと第二評判情報を、前記記録媒体から読み出し、メモリ上に配置するステップと、
当該キーワードと第二評判情報と所定の関係があるキーワードと第一評判情報を検索し、前記記録媒体から読み出し、メモリ上に配置するステップと、
当該キーワードと第一評判情報と対になる広告情報を、前記記録媒体から検索するステップと、
前記検索した広告情報を前記端末装置に送信するステップを実行させるためのプログラム。
【発明の詳細な説明】
【技術分野】
【０００１】
本発明は、広告情報を出力する広告情報処理システム等に関するものである。
【背景技術】
【０００２】
従来、Ｗｅｂにおいて、提携サイトのコンテンツと関連性の高い広告が表示されるコンテンツ連動型の広告配信サービスが存在した（例えば、非特許文献１参照）。
【０００３】
かかるコンテンツ連動型の広告配信サービスでは、クライアントサイトと関連性の高い提携サイトにだけ広告が表示されるため、費用対効果の極めて高いプロモーションが展開でる場合があった。
【非特許文献１】インターネット<URL:http://adconmatch.com/>
【発明の開示】
【発明が解決しようとする課題】
【０００４】
しかしながら、従来の広告配信サービスにおいては、ネガティブな意見を述べているブログやＳＮＳや掲示板に、批判対象の製品や企業の広告が表示され、推奨されたりすることも多い、という課題があった。つまり、例えば、日焼けをさけるために種々の手段を講じていることを記述しているブログに、美しく肌を焼くためのコパトーンの広告を出力してしまい、全く広告効果が無いどころか、ブログを出力したユーザに不快感さえ覚えさせる場合があった。また、ある企業を批判しているブログやＳＮＳや掲示板などに、批判対象の企業の商品の広告が表示されたりする場合があった。
【課題を解決するための手段】
【０００５】
本第一の発明の広告情報処理システムは、情報サーバ装置と広告情報サーバ装置と端末装置を具備する広告情報処理システムであって、前記情報サーバ装置は、前記端末装置に出力する情報であり、広告情報を出力するための情報である広告出力指示情報を含む情報である出力情報を１以上格納している出力情報格納部と、出力情報の送信を要求する出力要求を前記端末装置から受信する出力要求受信部と、前記出力要求の受信に応じて、前記出力情報格納部から出力情報を読み出し、当該出力情報を前記端末装置に送信する出力情報送信部を具備し、前記広告情報サーバ装置は、キーワードと評判に関する情報である第一評判情報と広告情報とを対に有する出力広告情報を1組以上格納している出力広告情報格納部と、出力情報を識別する情報である出力情報識別情報とキーワードと評判に関する情報である第二評判情報を有する出力情報評価情報を１以上格納している出力情報評価情報格納部と、前記端末装置から出力情報識別情報を受信する出力情報識別情報受信部と、前記出力情報識別情報受信部が受信した出力情報識別情報が含まれる出力情報評価情報が有するキーワードと第二評判情報を前記出力情報評価情報格納部から取得し、当該キーワードと第二評判情報と所定の関係があるキーワードと第一評判情報を検索し、当該検索したキーワードと第一評判情報と対になる広告情報を、前記出力広告情報格納部から検索する広告情報検索部と、前記広告情報検索部が検索した広告情報を前記端末装置に送信する広告情報送信部を具備し、前記端末装置は、前記情報サーバ装置に対して出力情報の送信を要求する出力要求を受け付ける受付部と、前記出力要求を前記情報サーバ装置に送信する出力要求送信部と、前記出力要求の送信に応じて、前記情報サーバ装置から出力情報を受信する出力情報受信部と、前記出力情報から広告出力指示情報を取得し、当該広告出力指示情報を用いて、前記広告情報サーバ装置に出力情報識別情報を送信する出力情報識別情報送信部と、前記出力情報識別情報の送信に対応して、前記広告情報サーバ装置から広告情報を受信する広告情報受信部と、前記出力情報受信部が受信した出力情報と、前記広告情報受信部が受信した広告情報を出力する出力部を具備する広告情報処理システムである。
【０００６】
かかる構成により、ブログやＳＮＳや掲示板などの出力対象の情報である出力情報の記載内容に合致した広告が出力でき、その結果、ユーザにとって真に有効な広告を見ることができる。また、広告主にとって、有効に広告を提示できる。さらに具体的には、例えば、批判対象の製品や企業の広告が表示されたりすることがなく、ホームページなどの出力情報に適切な広告情報が表示される。
【０００７】
また、本第二の発明の広告情報処理システムは、広告情報サーバ装置と端末装置を具備する広告情報処理システムであって、前記広告情報サーバ装置は、前記端末装置に出力する情報であり、広告情報を出力するための情報である広告出力指示情報を含む情報である出力情報を１以上格納している出力情報格納部と、出力情報の送信を要求する出力要求を前記端末装置から受信する出力要求受信部と、前記出力要求の受信に応じて、前記出力情報格納部から出力情報を読み出し、当該出力情報を前記端末装置に送信する出力情報送信部と、キーワードと評判に関する情報である第一評判情報と広告情報とを対に有する出力広告情報を１組以上格納している出力広告情報格納部と、出力情報を識別する情報である出力情報識別情報とキーワードと評判に関する情報である第二評判情報を有する出力情報評価情報を１以上格納している出力情報評価情報格納部と、前記端末装置から出力情報識別情報を受信する出力情報識別情報受信部と、前記出力情報識別情報受信部が受信した出力情報識別情報が含まれる出力情報評価情報が有するキーワードと第二評判情報を前記出力情報評価情報格納部から取得し、当該キーワードと第二評判情報と所定の関係があるキーワードと第一評判情報を検索し、当該検索したキーワードと第一評判情報と対になる広告情報を、前記出力広告情報格納部から検索する広告情報検索部と、前記広告情報検索部が検索した広告情報を前記端末装置に送信する広告情報送信部を具備し、前記端末装置は、前記広告情報サーバ装置に対して出力情報の送信を要求する出力要求を受け付ける受付部と、前記出力要求を前記広告情報サーバ装置に送信する出力要求送信部と、前記出力要求の送信に応じて、前記広告情報サーバ装置から出力情報を受信する出力情報受信部と、前記出力情報から広告出力指示情報を取得し、当該広告出力指示情報を用いて、前記広告情報サーバ装置に出力情報識別情報を送信する出力情報識別情報送信部と、前記出力情報識別情報の送信に対応して、前記広告情報サーバ装置から広告情報を受信する広告情報受信部と、前記出力情報受信部が受信した出力情報と、前記広告情報受信部が受信した広告情報を出力する出力部を具備する広告情報処理システムである。
【０００８】
かかる構成により、ブログやＳＮＳや掲示板などの出力対象の情報である出力情報の記載内容に合致した広告が出力でき、その結果、ユーザにとって真に有効な広告を見ることができる。また、広告主にとって、有効に広告を提示できる。
【０００９】
また、本第三の発明の広告情報処理システムは、第一、第二いずれかの発明に対して、前記第一評判情報および前記第二評判情報は、キーワードに対するポジティブ度またはネガティブ度を定量的に示す情報であり、前記出力広告情報は、キーワードと第一評判情報と当該第一評判情報を用いた条件を示す条件情報と広告情報を有し、前記広告情報検索部は、前記出力情報識別情報受信部が受信した出力情報識別情報が含まれる出力情報評価情報が有するキーワードと第二評判情報を前記出力情報評価情報格納部から取得し、当該キーワードと第二評判情報が前記条件情報の示す条件に合致する出力広告情報が有する広告情報を、前記出力広告情報格納部から検索する広告情報処理システムである。
【００１０】
かかる構成により、出力情報の記載内容に精度高く合致する広告が出力できる。
【００１１】
また、本第四の発明の広告情報処理システムは、第一から第三いずれかの発明に対して、前記広告情報サーバ装置は、評判を示す用語である評判用語と評判の程度を示す情報である評判程度情報を有する評判情報を１以上格納している評判情報格納部と、１以上の各出力情報から１以上のキーワードと１以上の評判用語を抽出する用語抽出部と、前記用語抽出部が抽出した１以上の各評判用語と対になる１以上の評判程度情報を前記評判情報格納部から検索する評判程度情報検索部と、前記評判程度情報検索部が検索した１以上の評判程度情報を用いて１以上の第二評判情報を構成する第二評判情報構成部と、前記第二評判情報構成部が構成した１以上の第二評判情報と前記用語抽出部が抽出した１以上のキーワードと、前記用語抽出部の処理対象の１以上の出力情報を識別する各出力情報識別情報を用いて、１以上の出力情報評価情報を構成する出力情報評価情報構成部と、前記出力情報評価情報構成部が構成した１以上の出力情報評価情報を前記出力情報評価情報格納部に蓄積する出力情報評価情報蓄積部をさらに具備する広告情報処理システムである。
【００１２】
かかる構成により、第一から第三いずれかの発明の効果に加えて、ブログやＳＮＳや掲示板など出力情報の解析を自動的に行え、上記の出力情報評価情報を作成する労力を軽減できる。
【発明の効果】
【００１３】
本発明による広告情報処理システムによれば、有効に広告を提示できる。
【発明を実施するための最良の形態】
【００１４】
以下、広告情報処理システム等の実施形態について図面を参照して説明する。なお、実施の形態において同じ符号を付した構成要素は同様の動作を行うので、再度の説明を省略する場合がある。
（実施の形態１）
【００１５】
図１は、本実施の形態における広告情報処理システムの概念図である。広告情報処理システムは、1以上の情報サーバ装置１１と広告情報サーバ装置１２と1以上の端末装置１３を具備する。情報サーバ装置１１は、ブログやＳＮＳ（ソーシャル・ネットワーク・サービス）や掲示板などの出力情報が格納されている情報処理装置である。広告情報サーバ装置１２は、広告情報が格納されている情報処理装置である。端末装置１３は、出力情報と広告情報を出力するための情報処理端末であり、例えば、いわゆるＷｅｂブラウザが搭載されている情報処理端末である。図１において、ｍ台の情報サーバ装置１１、１台の広告情報サーバ装置１２、およびｎ台の端末装置１３がインターネットに接続されており、それぞれが通信可能な状態である。なお、1以上の情報サーバ装置１１と広告情報サーバ装置１２と1以上の端末装置１３は、必ずしもインターネットに接続されている必要はなく、専用回線やケーブルＴＶや、電線などにより、情報の送受信が可能な状態であれば良い。
【００１６】
図２は、本実施の形態における広告情報処理システムのブロック図である。情報サーバ装置１１は、出力情報格納部１１０１、出力要求受信部１１０２、出力情報送信部１１０３を具備する。
【００１７】
広告情報サーバ装置１２は、出力広告情報格納部１２０１、出力情報評価情報格納部１２０２、出力情報識別情報受信部１２０３、広告情報検索部１２０４、広告情報送信部１２０５を具備する。
【００１８】
端末装置１３は、受付部１３０１、出力要求送信部１３０２、出力情報受信部１３０３、出力情報識別情報送信部１３０４、広告情報受信部１３０５、出力部１３０６を具備する。
【００１９】
出力情報格納部１１０１は、出力情報を１以上格納している。出力情報とは、端末装置１３に出力する情報であり、通常、広告情報を出力するための情報である広告出力指示情報を含む情報である。ただし、出力情報は、必ずしも広告出力指示情報を含まなくても良い。出力情報は、例えば、ブログやＳＮＳ（ソーシャル・ネットワーク・サービス）や掲示板などの情報である。また、出力情報は、例えば、ＨＴＭＬや、コンパクトＨＴＭＬや、ＸＭＬなどで記述されていても良いし、画像データ、動画、テキストデータ、音声データ、楽音データ、およびこれらのデータの組み合わせのデータ等でも良い。つまり、出力情報のデータタイプやデータ構造は問わない。また、広告情報とは、広告となる情報であり、テキストデータ、画像データ、動画、音声データ、楽音データ、およびこれらのデータの組み合わせのデータ等、データタイプやデータ構造は問わない。広告出力指示情報とは、例えば、ブログやＳＮＳや掲示板などの出力情報が格納されているＵＲＬ（または、ＵＲＩ）、広告情報を広告情報サーバ装置１２から取得するためのスクリプトやソフトウェアプログラム、広告情報を広告情報サーバ装置１２から取得するためのスクリプトやソフトウェアプログラムを識別する情報（プログラム名や関数名など）などである。また、出力情報格納部１１０１の出力情報は、図示しない装置から受信した情報でも良い。また、出力情報は、例えば、ＵＲＬにより識別可能である。出力情報格納部１１０１は、不揮発性の記録媒体が好適であるが、揮発性の記録媒体でも実現可能である。
【００２０】
出力要求受信部１１０２は、出力情報の送信を要求する出力要求を端末装置１３から受信する。出力要求は、例えば、ＵＲＬを含む。出力要求受信部１１０２は、無線の通信手段が好適であるが、放送を受信する手段や有線の通信手段でも実現可能である。
【００２１】
出力情報送信部１１０３は、出力要求の受信に応じて、出力情報格納部１１０１から出力情報を読み出し、当該出力情報を端末装置１３に送信する。出力情報送信部１１０３は、例えば、出力要求に含まれるＵＲＬで特定される出力情報を出力情報格納部１１０１から読み出し、当該読み出した出力情報を端末装置１３に送信する。出力要求の受信や、出力情報の送信は、例えば、ＨＴＴＰのプロトコルにより実行される。出力情報送信部１１０３は、通常、無線または有線の通信手段で実現されるが、放送手段で実現されても良い。
【００２２】
出力広告情報格納部１２０１は、出力広告情報を1以上格納している。出力広告情報は、キーワードと第一評判情報と広告情報とを有する。出力広告情報は、１組以上のキーワードと第一評判情報の組と、広告情報とを有する。キーワードとは、広告を選択するために利用される用語であり、文字列である。キーワードは、例えば、「日焼け」「Ａ株式会社」「サッカー」「東京」などである。ただし、キーワードは、名詞や名詞句であるとは限らず、形容詞や動詞などの他の品詞であっても良い。また、第一評判情報とは、評判に関する情報である。第一評判情報は、例えば、キーワードに対するポジティブ度またはネガティブ度を定量的に示す情報である。第一評判情報は、例えば、「−５」から「＋５」の数値であり、「−５」は、キーワードに対して非常にネガティブであることを示し、「＋５」はキーワードに対して非常にポジティブであることを示し、「０」は、キーワードに対してネガティブでもポジティブでもないことを示す。第一評判情報は、「好き」「嫌い」などの２つのとり得る値のうちのいずれかを示す情報でも良い。また、出力広告情報は、条件情報と広告情報を有することは好適である。ここで、条件情報とは、キーワードと第一評判情報を用いた広告出力の条件を示す情報である。条件情報は、例えば、「>」「＝」「<」「>＝」「<＝」などの数値の関係を示す演算子を含む。かかる場合、条件情報は、例えば、「日焼け  >  ３」、「プロ野球  >＝  １」などである。ここで、「日焼け  >  ３」は、キーワード「日焼け」に対して、３より大きいポジティブ度を条件とすることを示す。「プロ野球  >＝  １」は、キーワード「プロ野球」に対して、１以上のポジティブ度を条件とすることを示す。出力広告情報格納部１２０１は、不揮発性の記録媒体が好適であるが、揮発性の記録媒体でも実現可能である。
【００２３】
出力情報評価情報格納部１２０２は、出力情報評価情報を１以上格納している。出力情報評価情報は、出力情報識別情報とキーワードと第二評判情報を有する。出力情報評価情報は、出力情報識別情報と、１以上のキーワードと第二評判情報の組を有する。出力情報識別情報は、出力情報を識別する情報であり、例えば、ＵＲＬ（またはＵＲＩ）である。第二評判情報は、第一評判情報と同様に、評判に関する情報である。第二評判情報は、例えば、キーワードに対するポジティブ度またはネガティブ度を定量的に示す情報である。なお、第二評判情報は、第一評判情報と同一のデータ構造である必要はない。出力情報評価情報は、例えば、「ＵＲＬ：http://www.AAABBB.co.jp/，日焼け，−３．８」である。この出力情報評価情報は、例えば、「http://www.AAABBB.co.jp/」で識別される出力情報（ここではホームページ）の記載内容が、「日焼け」に対してかなりネガティブであることを示す。なお、出力情報評価情報は、一の出力情報識別情報に対して、複数組のキーワードと第二評判情報を有しても良い。つまり、出力情報評価情報は、例えば、「ＵＲＬ：http://www.AAABBB.co.jp/，日焼け，−３．８，日傘，４．８」であっても良い。この出力情報評価情報は、例えば、「http://www.AAABBB.co.jp/」で識別される出力情報の記載内容が、「日焼け」に対してかなりネガティブであり、かつ、「日傘」に対してかなりポジティブであることを示す。出力情報評価情報格納部１２０２の出力情報評価情報は、広告情報サーバ装置１２の管理者が手入力で入力しても良いし、実施の形態３で述べるように、自動的に生成しても良い。出力情報評価情報格納部は、不揮発性の記録媒体が好適であるが、揮発性の記録媒体でも実現可能である。
【００２４】
出力情報識別情報受信部１２０３は、端末装置１３から出力情報識別情報を受信する。ここで、出力情報識別情報は、例えば、ＵＲＬ（ＵＲＩ）が好適であるが、出力情報そのものでも良い。つまり、出力情報識別情報は、端末装置１３で出力される出力情報が特定できる情報であれば良い。出力情報識別情報受信部１２０３は、端末装置１３での広告情報の出力のために、出力情報識別情報を受信する。出力情報識別情報受信部１２０３は、無線の通信手段が好適であるが、放送を受信する手段や有線の通信手段でも実現可能である。
【００２５】
広告情報検索部１２０４は、まず、出力情報識別情報受信部１２０３が受信した出力情報識別情報を取得し、当該出力情報識別情報に対応する出力情報評価情報を出力情報評価情報格納部１２０２から読み出す。次に、広告情報検索部１２０４は、読み出した出力情報評価情報が有するキーワードと第二評判情報を抽出する。次に、広告情報検索部１２０４は、抽出したキーワードと第二評判情報と所定の関係があるキーワードと第一評判情報を出力広告情報格納部１２０１から検索する。ここで「所定の関係」とは、「読み出した出力情報評価情報が有するキーワードとキーワードが同一であり、かつ、ポジティブ度が近似する」ことである。「ポジティブ度が近似する」とは、例えば、第一評判情報が、読み出した第二評判情報が示す数値と同一か、または所定（例えば、＋−１）以内の差の数値であることである。また、所定の関係とは、「読み出した出力情報評価情報が有するキーワードとキーワードが類似し、かつ、ポジティブ度が近似する」ことである。なお、２つのキーワード（用語）が類似するか否かを判断するためには、例えば、類義語辞書を保持していれば可能であり、かかる技術は公知技術であるので、詳細な説明を省略する。また、出力情報識別情報受信部が受信する出力情報識別情報と、出力情報評価情報が有する出力情報識別情報は、同一の出力情報を識別するが、同一の情報であるとは限らない。また、「所定の関係」とは、例えば、後述する条件情報が示す条件を満たすことである。次に、広告情報検索部１２０４は、検索したキーワードと第一評判情報と対になる広告情報を、出力広告情報格納部１２０１から検索する。つまり、広告情報検索部１２０４は、出力情報識別情報受信部１２０３が受信した出力情報識別情報に対応する出力情報評価情報が有するキーワードと第二評判情報を出力情報評価情報格納部１２０２から取得し、当該キーワードと第二評判情報と所定の関係があるキーワードと第一評判情報を検索し、当該検索したキーワードと第一評判情報と対になる広告情報を、出力広告情報格納部１２０１から検索する。
【００２６】
また、広告情報検索部１２０４は、出力情報識別情報受信部１２０３が受信した出力情報識別情報に対応する出力情報評価情報が有するキーワードと第二評判情報を出力情報評価情報格納部１２０１から取得し、当該キーワードと第二評判情報が条件情報の示す条件に合致する出力広告情報が有する広告情報を、出力広告情報格納部１２０１から検索しても良い。ここで、条件情報とは、キーワードと第一評判情報とを用いた広告出力の条件を示す情報である。
【００２７】
広告情報検索部１２０４は、通常、ＭＰＵやメモリ等から実現され得る。広告情報検索部１２０４の処理手順は、通常、ソフトウェアで実現され、当該ソフトウェアはＲＯＭ等の記録媒体に記録されている。但し、ハードウェア（専用回路）で実現しても良い。
【００２８】
広告情報送信部１２０５は、広告情報検索部１２０４が検索した広告情報を、出力情報識別情報を送信してきた端末装置１３に送信する。広告情報送信部１２０５は、通常、無線または有線の通信手段で実現されるが、放送手段で実現されても良い。
【００２９】
受付部１３０１は、端末装置１３のユーザからの入力や、外部装置から送信された命令などを受け付ける。受付部１３０１は、例えば、情報サーバ装置１１に対して出力情報の送信を要求する出力要求を受け付ける。出力要求は、例えば、ユーザが入力したＵＲＬと、ユーザのホームページを取得するためのボタンの押下により生成されたホームページ取得命令を有する。出力要求は、例えば、ＵＲＬだけでも良い。出力要求は、例えば、ユーザが表示されているホームページのアンカーをマウスで押下した場合に、出力要求は、当該アンカーで定義されているＵＲＬである。出力要求などの入力手段は、キーボードやマウスやメニュー画面によるもの等、何でも良い。受付部１３０１は、キーボード等の入力手段のデバイスドライバーや、メニュー画面の制御ソフトウェア等で実現され得る。
【００３０】
出力要求送信部１３０２は、受付部１３０１が受け付けた出力要求を情報サーバ装置１１に送信する。なお、受付部１３０１が受け付けた出力要求と、出力要求送信部１３０２が送信する出力要求は、同じ情報である必要はなく、出力情報の送信の要求を行うための情報や命令であれば良い。出力要求送信部１３０２は、通常、無線または有線の通信手段で実現されるが、放送手段で実現されても良い。
【００３１】
出力情報受信部１３０３は、出力要求送信部１３０２による出力要求の送信に応じて、情報サーバ装置１１から出力情報を受信する。出力情報受信部１３０３は、例えば、送信されたＵＲＬに対応するホームページを受信する。出力情報受信部１３０３は、通常、無線または有線の通信手段で実現されるが、放送を受信する手段で実現されても良い。
【００３２】
出力情報識別情報送信部１３０４は、通常、出力情報から広告出力指示情報を取得し、当該広告出力指示情報を用いて、広告情報サーバ装置１２に出力情報識別情報を送信する。ただし、出力情報識別情報送信部１３０４は、出力情報受信部１３０３が受信した出力情報を識別する出力情報識別情報を広告情報サーバ装置１２に送信すれば良く、出力情報識別情報の取得方法は問わない。ユーザが入力した出力情報識別情報を取得しても良い。かかる場合、出力情報の受信より先に、広告情報を受信する場合もあり得る。広告出力指示情報は、例えば、ＵＲＬと広告情報を送信させるための命令を含む。広告出力指示情報は、例えば、ＵＲＬのみでも良い。出力情報識別情報は、例えば、ＵＲＬやＵＲＬで示されるホームページ自体である。出力情報識別情報送信部１３０４における、出力情報から広告出力指示情報を取得する処理は、例えば、出力情報に記載されているスクリプトを解釈実行し、ＵＲＬを取得する処理である。出力情報識別情報送信部１３０４は、通常、無線または有線の通信手段で実現されるが、放送手段で実現されても良い。
【００３３】
広告情報受信部１３０５は、出力情報識別情報送信部１３０４における出力情報識別情報の送信に対応して、広告情報サーバ装置１２から広告情報を受信する。広告情報受信部１３０５は、通常、無線または有線の通信手段で実現されるが、放送を受信する手段で実現されても良い。
【００３４】
出力部１３０６は、出力情報受信部１３０３が受信した出力情報と、広告情報受信部１３０５が受信した広告情報を出力する。出力部１３０６は、まず、最初に受信した出力情報を出力し、その後、受信した広告情報を出力することは好適である。ただし、出力部１３０６は、出力情報と広告情報を遅れなく出力しても良い。ここで、出力とは、ディスプレイへの表示、プリンタへの印字、音出力、外部の装置への送信、記録媒体への蓄積等を含む概念である。出力部１３０６は、ディスプレイやスピーカー等の出力デバイスを含むと考えても含まないと考えても良い。出力部１３０６は、出力デバイスのドライバーソフトまたは、出力デバイスのドライバーソフトと出力デバイス等で実現され得る。
【００３５】
次に、広告情報処理システムの動作について説明する。まず、情報サーバ装置１１の動作について説明する。情報サーバ装置１１は、例えば、いわゆるＷｅｂサーバである。情報サーバ装置１１の出力要求受信部１１０２が、例えば、ＵＲＬを含む出力要求を端末装置１３から受信し、出力情報送信部１１０３が、当該ＵＲＬで識別されるホームページ（出力情報の一例）を出力情報格納部１１０１から読み出し、端末装置１３に送信する。
【００３６】
次に、広告情報サーバ装置１２の動作について、図３のフローチャートを用いて説明する。
【００３７】
（ステップＳ３０１）出力情報識別情報受信部１２０３は、出力情報識別情報を受信したか否かを判断する。出力情報識別情報を受信すればステップＳ３０２に行き、出力情報識別情報を受信しなければステップＳ３０１に戻る。
【００３８】
（ステップＳ３０２）広告情報検索部１２０４は、ステップＳ３０１で受信した出力情報識別情報を抽出し、メモリ上に配置する。
【００３９】
（ステップＳ３０３）広告情報検索部１２０４は、ステップＳ３０２でメモリ上に配置した出力情報識別情報に対応する出力情報評価情報を出力情報評価情報格納部１２０２から読み出す。通常、出力情報評価情報格納部１２０２の出力情報評価情報は出力情報識別情報を含み、広告情報検索部１２０４は、メモリ上に配置した出力情報識別情報を含む出力情報評価情報を出力情報評価情報格納部１２０２から読み出す。
【００４０】
（ステップＳ３０４）広告情報検索部１２０４は、ステップＳ３０３で読み出した出力情報評価情報から、１組以上のキーワードと第二評判情報を抽出し、メモリ上に配置する。
【００４１】
（ステップＳ３０５）広告情報検索部１２０４は、カウンタｉに１を代入する。
【００４２】
（ステップＳ３０６）広告情報検索部１２０４は、出力広告情報格納部１２０１に、ｉ番目の出力広告情報が存在するか否かを判断する。ｉ番目の出力広告情報が存在すればステップＳ３０７に行き、ｉ番目の出力広告情報が存在しなければステップＳ３１２に行く。
【００４３】
（ステップＳ３０７）広告情報検索部１２０４は、ｉ番目の出力広告情報を出力広告情報格納部１２０１から読み出し、メモリ上に配置する。
【００４４】
（ステップＳ３０８）広告情報検索部１２０４は、ステップＳ３０４で抽出したキーワードと第二評判情報が、ステップＳ３０７でメモリ上に配置したｉ番目の出力広告情報が示す条件に合致するか否かを判断する。なお、かかる条件合致判断について、図４のフローチャートを用いて説明する。
【００４５】
（ステップＳ３０９）広告情報検索部１２０４は、ステップＳ３０８における判断結果が、条件に合致するとの判断である場合ステップＳ３１０に行き、条件に合致しないとの判断である場合ステップＳ３１１に行く。
【００４６】
（ステップＳ３１０）広告情報検索部１２０４は、ｉ番目の出力広告情報が有する少なくとも広告情報をメモリなどの記録媒体に一時格納する。
【００４７】
（ステップＳ３１１）広告情報検索部１２０４は、カウンタｉを１、インクリメントする。ステップＳ３０６に戻る。
【００４８】
（ステップＳ３１２）広告情報送信部１２０５は、ステップＳ３１０で一時格納された広告情報が一つであるか否かを判断する。一時格納された広告情報が一つであればステップＳ３１４に行き、一時格納された広告情報が一つでなければステップＳ３１３に行く。
【００４９】
（ステップＳ３１３）広告情報送信部１２０５は、ステップＳ３１０で一時格納された広告情報が２以上であるか否かを判断する。広告情報が２以上であればステップＳ３１５に行き、広告情報が２以上でなければステップＳ３１６に行く。
【００５０】
（ステップＳ３１４）広告情報送信部１２０５は、一の選択された広告情報を端末装置１３に送信する。処理を終了する。
【００５１】
（ステップＳ３１５）広告情報送信部１２０５は、２以上の広告情報の中から、一の広告情報を選択する。広告情報の選択のアルゴリズムは、問わない。例えば、端末装置１３に送信された回数を広告情報ごとに管理しておき、送信回数が少ない広告情報を優先的に選択しても良いし、ランダムに広告情報を選択しても良い。
【００５２】
（ステップＳ３１６）広告情報送信部１２０５は、「広告情報なし」の旨の情報を端末装置１３に送信する。処理を終了する。
【００５３】
なお、図３のフローチャートにおいて、２以上の広告情報が条件に合致した場合、一の広告情報を選択して送信したが、条件に合致したすべての広告情報、または条件に合致した広告情報のうちの２以上の広告情報を選択して送信しても良い。
【００５４】
また、図３のフローチャートにおいて、条件に合致する広告情報が存在しない場合、「広告情報なし」の旨の情報を端末装置１３に送信したが、何らかの広告情報を選択して送信しても良い。かかる場合の広告情報の選択方法は問わない。
【００５５】
次に、ステップＳ３０８の条件合致判断の動作について、図４のフローチャートを用いて説明する。
【００５６】
（ステップＳ４０１）広告情報検索部１２０４は、カウンタｉに１を代入する。
【００５７】
（ステップＳ４０２）広告情報検索部１２０４は、ｉ番目のキーワードと第二評判情報の組が、ステップＳ３０４でメモリ上に配置した情報の中に、存在するか否かを判断する。ｉ番目のキーワードと第二評判情報の組が存在すればステップＳ４０３に行き、ｉ番目のキーワードと第二評判情報の組が存在しなければステップＳ４０７に行く。
【００５８】
（ステップＳ４０３）広告情報検索部１２０４は、ｉ番目のキーワードと第二評判情報と、出力広告情報が有するキーワードと第一評判情報が条件に合致するか否かを判断する。また、広告情報検索部１２０４は、ｉ番目のキーワードと第二評判情報が、出力広告情報が有する条件情報に合致するか否かを判断する。
【００５９】
（ステップＳ４０４）広告情報検索部１２０４は、ステップＳ４０３における判断結果が、条件に合致するとの判断結果の場合はステップＳ４０４に処理を進め、条件に合致しないとの判断結果の場合はステップＳ４０６に処理を進める。
【００６０】
（ステップＳ４０５）広告情報検索部１２０４は、リターン値に「条件合致」の旨の情報を代入する。
【００６１】
（ステップＳ４０６）広告情報検索部１２０４は、カウンタｉを１、インクリメントする。
【００６２】
（ステップＳ４０７）広告情報検索部１２０４は、リターン値に「条件不合致」の旨の情報を代入する。
【００６３】
なお、図４のフローチャートにおいて、複数のキーワードと第二評判情報の組が存在する場合、一のキーワードと第二評判情報の組が条件に合致する場合、リターン値に「条件合致」の旨の情報を代入した。しかし、複数のキーワードと第二評判情報の組が存在する場合、すべてのキーワードと第二評判情報の組が条件に合致する場合のみリターン値に「条件合致」の旨の情報を代入するなどしても良い。
【００６４】
また、図４のフローチャートにおいて、複数のキーワードと第二評判情報の組が存在する場合、複数の組全体が、条件情報に合致するか否かを判断しても良い。
【００６５】
次に、端末装置１３の動作について説明する。端末装置１３は、例えば、Ｗｅｂブラウザがインストールされた端末である。端末装置１３は、例えば、いわゆるパーソナルコンピュータや、携帯端末や、携帯電話や、テレビジョンなどである。端末装置１３の受付部１３０１は、まず、ユーザからＵＲＬなどの出力情報識別情報の入力を受け付け、かつ、出力情報の送信を要求する出力要求を受け付ける。
【００６６】
次に、出力要求送信部１３０２は、受付部１３０１が受け付けた出力要求を情報サーバ装置１１に送信する。
【００６７】
そして、出力情報受信部１３０３は、出力要求送信部１３０２による出力要求の送信に応じて、情報サーバ装置１１から出力情報を受信する。この出力情報は、例えば、ＨＴＭＬやＸＭＬなどで記述されたファイルである。
【００６８】
次に、出力部１３０６は、出力情報受信部１３０３が受信した出力情報を解釈し、ディスプレイに出力情報を表示する。
【００６９】
そして、出力要求送信部１３０２は、出力情報が有する広告出力指示情報（例えば、出力情報を識別するＵＲＬ）を取得し、当該広告出力指示情報を用いて、広告情報サーバ装置１２に出力情報識別情報（例えば、出力情報を識別するＵＲＬ）を送信する。
【００７０】
次に、広告情報受信部１３０５は、出力情報識別情報送信部１３０４における出力情報識別情報の送信に対応して、広告情報サーバ装置１２から広告情報を受信する。
【００７１】
そして、出力部１３０６は、広告情報受信部１３０５が受信した広告情報を出力する。かかる場合、出力部１３０６は、広告情報受信部１３０５が受信した広告情報を、表示されている出力情報に埋め込んで出力することは好適である。
【００７２】
以下、本実施の形態における広告情報処理システムの具体的な動作について説明する。広告情報処理システムの概念図は図１である。
【００７３】
ここで、出力情報格納部１１０１には、多数のホームページである出力情報が格納されている、とする。また、ホームページは、例えば、ＨＴＭＬで記述されている、とする。さらに、ホームページは、ここでは、広告情報を埋め込むためのスクリプト（例えば、ＪＡＶＡ（登録商標））を含む。このスクリプトは、出力情報を識別するＵＲＬ（出力情報識別情報の一例）を出力情報等から取り出し、広告情報サーバ装置１２に送信するスクリプトである。
【００７４】
また、出力広告情報格納部１２０１は、図５に示す出力広告情報管理表を保持している。出力広告情報管理表は、1以上の出力広告情報を格納している。出力広告情報管理表は、「ＩＤ」「広告情報名」「条件情報」「広告情報」を有するレコードを１以上格納している。「ＩＤ」は、レコードを識別する情報であり、表におけるレコード管理のために存在する。「広告情報名」は、広告情報を識別する名前である。「条件情報」は、キーワードと第一評判情を有し、広告情報の出力の条件を示す情報である。「条件情報」は、ＡＮＤ、ＯＲ，括弧（）などを用いた複合した条件を示す情報であっても良い。「広告情報」は、端末装置１３に送信される広告情報である。
【００７５】
また、出力情報評価情報格納部１２０２は、図６に示す１以上の出力情報評価情報を格納している。図６は、出力情報評価情報管理表である。出力情報評価情報管理表は、「ＩＤ」「出力情報識別情報」「キーワード」「第二評判情報」を有するレコードを１以上格納している。「ＩＤ」は、レコードを識別する情報であり、表におけるレコード管理のために存在する。「出力情報識別情報」は、ここでは、ＵＲＬである。「出力情報識別情報」で特定されるホームページに記載されている内容が、「キーワード」で示される用語に対して、ポジティブ度が「第二評判情報」であることを示す。ポジティブ度とは、「キーワード」で示される用語に対して、肯定的である度合いを示す情報である。一方、ネガティブ度は、「キーワード」で示される用語に対して、否定的である度合いを示す情報である。ポジティブ度が低い場合は、ネガティブ度は高い、と言える。「第二評判情報」は、ポジティブ度を［−５］から「＋５」までの数値で示す情報である。図６において、出力情報識別情報「http://www.aaa.jp/」で示されるホームページの記載内容は、キーワード「日焼け」に対してかなりネガティブ（ポジティブ度  −３．０）であり、かつワールドカップに対してかなりポジティブ（ポジティブ度  ４．３）であることを示す。つまり、本ホームページの記載内容は、例えば、日焼けを気にしている、サッカー好きの方のブログであると考えられる。そして、かかるブログを閲覧している場合に、日焼けを回避する商品の広告を出力することは好ましいが、日焼けを促進する商品の広告を出力することは好ましくない、と考えられる。
【００７６】
また、図７は、出力情報格納部１１０１に格納されている出力情報の例の一部である。図７における出力情報は、広告出力指示情報を明記していないが、上述したように、出力情報は広告出力指示情報を含む。また、図７において、「http://www.aaa.jp/」や「http://www.bbb.jp/」は、出力情報識別情報である。
（具体例１）
【００７７】
かかる状況で、端末装置１３のユーザは、端末装置１３から、出力情報識別情報（ＵＲＬ）の「http://www.aaa.jp/」を入力し、出力情報の送信を要求する出力要求を入力した、とする。
【００７８】
次に、端末装置１３の受付部１３０１は、出力要求（例えば、「get http://www.aaa.jp/」）を受け付ける。
【００７９】
次に、出力要求送信部１３０２は、受付部１３０１が受け付けた出力要求（例えば、「get http://www.aaa.jp/」）を情報サーバ装置１１に送信する。
【００８０】
次に、情報サーバ装置１１の出力要求受信部１１０２が、例えば、ＵＲＬを含む出力要求（例えば、「get http://www.aaa.jp/」）を端末装置１３から受信する。
【００８１】
次に、出力情報送信部１１０３が、出力要求（例えば、「get http://www.aaa.jp/」）から、ＵＲＬ「http://www.aaa.jp/」を抽出し、当該ＵＲＬ「http://www.aaa.jp/」で識別されるホームページ（図７の「http://www.aaa.jp/」で識別されるファイル）を出力情報格納部１１０１から読み出す。
【００８２】
そして、出力情報送信部１１０３は、図７の「http://www.aaa.jp/」で識別されるファイルを端末装置１３に送信する。
【００８３】
次に、端末装置１３の情報サーバ装置１１から出力情報（図７の「http://www.aaa.jp/」で識別されるファイル）を受信する。
【００８４】
次に、出力部１３０６は、出力情報受信部１３０３が受信した出力情報（図７ではプレーンなテキストファイルのように見えるが、ここでは、ＨＴＭＬで記述されている、とする）を解釈し、ディスプレイに出力情報を表示する。
【００８５】
そして、出力要求送信部１３０２は、出力情報が有する広告出力指示情報（例えば、ＵＲＬ「http://www.aaa.jp/」）を取得し、当該「http://www.aaa.jp/」を用いて、広告情報サーバ装置１２に出力情報識別情報（例えば、「「http://www.aaa.jp/」）を送信する。
【００８６】
次に、広告情報サーバ装置１２の出力情報識別情報受信部１２０３は、出力情報識別情報（例えば、「「http://www.aaa.jp/」）を受信する。
【００８７】
次に、広告情報検索部１２０４は、受信した出力情報識別情報（「「http://www.aaa.jp/」）を抽出し、メモリ上に配置する。
【００８８】
そして、広告情報検索部１２０４は、メモリ上に配置した出力情報識別情報（「「http://www.aaa.jp/」）に対応する出力情報評価情報（図６の「ＩＤ＝１」のレコード）を出力情報評価情報格納部１２０２から読み出す。
【００８９】
次に、広告情報検索部１２０４は、読み出した出力情報評価情報から、２組のキーワードと第二評判情報（「日焼け，−３．０」「ワールドカップ，４．３」）を抽出する。
【００９０】
次に、広告情報検索部１２０４は、図５の出力広告情報管理表を検索し、２組のキーワードと第二評判情報（「日焼け，−３．０」「ワールドカップ，４．３」）が、出力広告情報の条件情報に合致するか否かを判断する。
【００９１】
つまり、まず、広告情報検索部１２０４は、１番目の出力広告情報を読み出し、メモリ上に配置する。そして、広告情報検索部１２０４は、２組のキーワードと第二評判情報（「日焼け，−３．０」「ワールドカップ，４．３」）が条件情報（「日焼け」>４．０）に合致するか否かを判断する。ここで、「日焼け，−３．０」は、日焼けに対してネガティブであり、条件情報（「日焼け」>４．０）に合致しない、と広告情報検索部１２０４は、判断する。
【００９２】
次に、広告情報検索部１２０４は、２番目の出力広告情報を読み出し、メモリ上に配置する。そして、広告情報検索部１２０４は、２組のキーワードと第二評判情報（「日焼け，−３．０」「ワールドカップ，４．３」）が条件情報（「日焼け」<１．０）に合致するか否かを判断する。ここで、「日焼け，０．５」が条件情報（「日焼け」<１．０）に合致する、と判断し、広告情報検索部１２０４は、２番目の出力広告情報は、条件に合致する、と判断する。
【００９３】
そして、広告情報検索部１２０４は、２番目の出力広告情報が有する広告情報をメモリなどの記録媒体に一時格納する。
【００９４】
次に、広告情報検索部１２０４は、３番目以降の出力広告情報を読み出し、１番目、２番目の出力広告情報と同様に処理を行う。ここで、３番目以降の出力広告情報は、条件に合致しなかった、とする。
【００９５】
そして、広告情報検索部１２０４は、２番目の出力広告情報が有する広告情報のみを記録媒体に一時格納できた、とする。
【００９６】
次に、広告情報送信部１２０５は、一の広告情報（２番目の出力広告情報が有する広告情報）を端末装置１３に送信する。
【００９７】
次に、広告情報受信部１３０５は、出力情報識別情報送信部１３０４における出力情報識別情報（「「http://www.aaa.jp/」）の送信に対応して、広告情報サーバ装置１２から広告情報（２番目の出力広告情報が有する広告情報）を受信する。
【００９８】
そして、出力部１３０６は、広告情報受信部１３０５が受信した広告情報を出力する。ここで、出力部１３０６は、出力情報に埋め込んで、図８に示すように広告情報を出力する。
（具体例２）
【００９９】
次に、端末装置１３のユーザは、端末装置１３から、出力情報識別情報（ＵＲＬ）の「http://www.bbb.jp/」を入力し、出力情報の送信を要求する出力要求を入力した、とする。そして、上記と同様に、端末装置１３は、情報サーバ装置１１から「http://www.bbb.jp/」で特定される出力情報（図７の２つめのホームページ）を受信し、出力情報を解釈し、ディスプレイに出力情報を表示する。
【０１００】
そして、出力要求送信部１３０２は、出力情報が有する広告出力指示情報（例えば、ＵＲＬ「http://www. bbb.jp/」）を取得し、当該「http://www. bbb.jp/」を用いて、広告情報サーバ装置１２に出力情報識別情報（例えば、「http://www. bbb.jp/」）を送信する。
【０１０１】
次に、広告情報サーバ装置１２の出力情報識別情報受信部１２０３は、出力情報識別情報（例えば、「http://www. bbb.jp/」）を受信する。
【０１０２】
次に、広告情報検索部１２０４は、受信した出力情報識別情報（「http://www. bbb.jp/」）を抽出し、メモリ上に配置する。
【０１０３】
そして、広告情報検索部１２０４は、メモリ上に配置した出力情報識別情報（「http://www. bbb.jp/」）に対応する出力情報評価情報（図６の「ＩＤ＝２」のレコード）を出力情報評価情報格納部１２０２から読み出す。
【０１０４】
次に、広告情報検索部１２０４は、読み出した出力情報評価情報から、２組のキーワードと第二評判情報（「ワイン，４．０」「ＡＢＣ株式会社，−２．０」）を抽出する。
【０１０５】
次に、広告情報検索部１２０４は、図５の出力広告情報管理表を検索し、２組のキーワードと第二評判情報（「ワイン，４．０」「ＡＢＣ株式会社，−２．０」）が、出力広告情報の条件情報に合致するか否かを判断する。
【０１０６】
そして、上記の具体例１で説明したように、広告情報検索部１２０４は、１番目の出力広告情報から処理を行う。１番目の出力広告情報が有するキーワード「日焼け」および２番目の出力広告情報が有するキーワード「日焼け」は、出力情報識別情報（「「http://www. bbb.jp/」）で識別される出力広告情報が有するキーワードとして管理されていないので、１番目、および２番目の出力広告情報は条件に合致しない、と広告情報検索部１２０４は、判断する。
【０１０７】
そして、３番目の出力広告情報が有するキーワード「ワイン」および「ＡＢＣ株式会社」は、出力情報識別情報（「http://www. bbb.jp/」）で識別される出力広告情報が有するキーワードとして管理されているが、条件情報（「ＡＢＣ株式会社」>３．０  ａｎｄ  「ワイン」>＝３．５）のうちの（「ＡＢＣ株式会社」>３．０）に合致しないので、３番目の出力広告情報も条件に合致しない、と広告情報検索部１２０４は、判断する。つまり、「ＡＢＣ株式会社」に対して批判的なホームページに、ＡＢＣ株式会社の商品の広告情報を出力することを防止できる。
【０１０８】
そして、広告情報検索部１２０４は、４番目以降の出力広告情報を同様に処理し、一の広告情報を取得した、とする。
【０１０９】
次に、広告情報送信部１２０５は、取得した一の広告情報を端末装置１３に送信する。
【０１１０】
次に、広告情報受信部１３０５は、出力情報識別情報送信部１３０４における出力情報識別情報（「http://www.bbb.jp/」）の送信に対応して、広告情報サーバ装置１２から広告情報を受信する。
【０１１１】
そして、出力部１３０６は、広告情報受信部１３０５が受信した広告情報を出力する。
【０１１２】
以上、本実施の形態によれば、ブログやＳＮＳや掲示板などの出力対象の情報である出力情報の記載内容に合致した広告が出力でき、その結果、ユーザにとって真に有効な広告を見ることができる。また、広告主にとって、有効に広告を提示できる。
【０１１３】
また、本実施の形態によれば、ネガティブな意見を述べているブログやＳＮＳや掲示板に、批判対象の製品や企業の広告が表示され、推奨されたりすることを防止できる。
【０１１４】
なお、本実施の形態によれば、広告情報検索部１２０４が、出力情報評価情報が条件情報の示す条件に合致するか否かを判断するアルゴリズムは上記のアルゴリズムに限らないことは言うまでもない。本本実施の形態において、ある企業を批判しているブログやＳＮＳや掲示板などに、批判対象の企業の商品の広告が表示されたりすることがないように、条件情報が設定され、条件に合致するか否かの判断がなされれば良い。
【０１１５】
また、本実施の形態において、出力情報と広告情報は分離されて、別ウィンドウで出力されても良い、
【０１１６】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、キーワードと評判に関する情報である第一評判情報と広告情報とを有する出力広告情報を1以上、記録媒体に格納しており、出力情報を識別する情報である出力情報識別情報とキーワードと評判に関する情報である第二評判情報を有する出力情報評価情報を１以上、記録媒体に格納しており、コンピュータに、端末装置から出力情報識別情報を受信し、当該出力情報識別情報をメモリ上に配置するステップと、前記メモリ上に配置した出力情報識別情報に対応するキーワードと第二評判情報を、前記記録媒体から読み出し、メモリ上に配置するステップと、当該キーワードと第二評判情報と所定の関係があるキーワードと第一評判情報を検索し、前記記録媒体から読み出し、メモリ上に配置するステップと、当該キーワードと第一評判情報と対になる広告情報を、前記記録媒体から検索するステップと、前記検索した広告情報を前記端末装置に送信するステップを実行させるためのプログラム、である。
【０１１７】
また、上記プログラムにおいて、前記第一評判情報および前記第二評判情報は、キーワードに対するポジティブ度またはネガティブ度を定量的に示す情報であり、前記出力広告情報は、キーワードと第一評判情報とを用いた広告出力の条件を示す条件情報と広告情報を有し、前記広告情報を検索するステップにおいて、前記受信した出力情報識別情報が含まれる出力情報評価情報が有するキーワードと第二評判情報を前記記憶媒体から取得し、当該キーワードと第二評判情報が前記条件情報の示す条件に合致する出力広告情報が有する広告情報を、前記記憶媒体から検索する、ことは好適である。
（実施の形態２）
【０１１８】
本実施の形態において、実施の形態１で述べた情報サーバ装置１１と広告情報サーバ装置１２が一の装置になった広告情報処理システムについて述べる。
【０１１９】
図９は、本実施の形態における広告情報処理システムの概念図である。広告情報処理システムは、一の広告情報サーバ装置９２と1以上の端末装置９３を具備する。
【０１２０】
図１０は、本実施の形態における広告情報処理システムのブロック図である。広告情報サーバ装置９２は、出力情報格納部１１０１、出力要求受信部１１０２、出力情報送信部１１０３、出力広告情報格納部１２０１、出力情報評価情報格納部１２０２、出力情報識別情報受信部１２０３、広告情報検索部１２０４、広告情報送信部１２０５を具備する。
【０１２１】
端末装置９３は、受付部１３０１、出力要求送信部９３０２、出力情報受信部９３０３、出力情報識別情報送信部１３０４、広告情報受信部１３０５、出力部１３０６を具備する。
【０１２２】
なお、出力要求送信部９３０２、および出力情報受信部９３０３は、通信する装置が広告情報サーバ装置９２である以外は、出力要求送信部１３０２、出力情報受信部１３０３と同様の機能を果たすので、詳細な説明を省略する。
【０１２３】
また、広告情報サーバ装置９２の動作は、実施の形態１における情報サーバ装置１１の動作と広告情報サーバ装置１２の動作を合わせた動作を行うので、詳細な説明を省略する。
【０１２４】
以上、本実施の形態によれば、ブログやＳＮＳや掲示板などの出力対象の情報である出力情報の記載内容に合致した広告が出力でき、その結果、ユーザにとって真に有効な広告を見ることができる。また、広告主にとって、有効に広告を提示できる。
【０１２５】
また、本実施の形態によれば、ネガティブな意見を述べているブログやＳＮＳや掲示板に、批判対象の製品や企業の広告が表示され、推奨されたりすることを防止できる。
【０１２６】
なお、本実施の形態、および実施の形態１によれば、広告情報を検索し、端末装置に送信する等の一連の処理は、一の装置で行っても、２以上の装置で行っても良い。つまり、１以上の装置を用いて、以下の広告情報処理方法を実現できれば良い。その方法は、端末装置から出力情報識別情報を受信し、当該出力情報識別情報をメモリ上に配置するステップと、前記メモリ上に配置した出力情報識別情報に対応するキーワードと第二評判情報を、前記記録媒体から読み出し、メモリ上に配置するステップと、当該キーワードと第二評判情報と所定の関係があるキーワードと第一評判情報を検索し、前記記録媒体から読み出し、メモリ上に配置するステップと、当該キーワードと第一評判情報と対になる広告情報を、前記記録媒体から検索するステップと、前記検索した広告情報を前記端末装置に送信するステップを具備する広告情報処理方法、である。
（実施の形態３）
【０１２７】
本実施の形態において、広告情報サーバ装置が出力情報評価情報を自動生成する機能を有する場合について説明する。出力情報評価情報を自動生成する機能は、実施の形態１および実施の形態２で述べた広告情報サーバ装置に追加することができる機能であるが、本実施の形態において、実施の形態１の広告情報サーバ装置に、出力情報評価情報を自動生成する機能を付加する態様について説明する。
【０１２８】
図１１は、本実施の形態における広告情報処理システムのブロック図である。広告情報処理システムは、1以上の情報サーバ装置１１と広告情報サーバ装置１１２と1以上の端末装置１３を具備する。
【０１２９】
広告情報サーバ装置１１２は、出力広告情報格納部１２０１、出力情報評価情報格納部１２０２、出力情報識別情報受信部１２０３、広告情報検索部１２０４、広告情報送信部１２０５、指示受付部１１２００、第二出力情報格納部１１２０１、出力情報収集部１１２０２、出力情報蓄積部１１２０３、評判情報格納部１１２０４、用語抽出部１１２０５、評判程度情報検索部１１２０６、第二評判情報構成部１１２０７、出力情報評価情報構成部１１２０８、出力情報評価情報蓄積部１１２０９を具備する。
【０１３０】
指示受付部１１２００は、ユーザから出力情報評価情報の生成指示などの指示や、ユーザからの入力などを受け付ける。各種指示などの入力手段は、キーボードやマウスやメニュー画面によるもの等、何でも良い。指示受付部１１２００は、キーボード等の入力手段のデバイスドライバーや、メニュー画面の制御ソフトウェア等で実現され得る。
【０１３１】
第二出力情報格納部１１２０１は、１以上の出力情報を格納している。第二出力情報格納部１１２０１は、不揮発性の記録媒体が好適であるが、揮発性の記録媒体でも実現可能である。
【０１３２】
出力情報収集部１１２０２は、１以上の情報サーバ装置１１から出力情報を収集する。１以上の情報サーバ装置１１から出力情報を収集する処理については、公知技術であるので詳細な説明を省略する。なお、第二出力情報格納部１１２０１の出力情報を人手により蓄積する場合は、出力情報収集部１１２０２と、後述する出力情報蓄積部１１２０３は不要である。出力情報収集部１１２０２は、例えば、情報の送受信のための通信手段と、ＭＰＵやメモリ等から実現され得る。出力情報収集部１１２０２の処理手順は、通常、ソフトウェアで実現され、当該ソフトウェアはＲＯＭ等の記録媒体に記録されている。但し、ハードウェア（専用回路）で実現しても良い。
【０１３３】
出力情報蓄積部１１２０３は、出力情報収集部１１２０２が収集した１以上の出力情報を第二出力情報格納部１１２０１に書き込む。出力情報蓄積部１１２０３は、通常、ＭＰＵやメモリ等から実現され得る。出力情報蓄積部１１２０３の処理手順は、通常、ソフトウェアで実現され、当該ソフトウェアはＲＯＭ等の記録媒体に記録されている。但し、ハードウェア（専用回路）で実現しても良い。
【０１３４】
評判情報格納部１１２０４は、評判を示す用語である評判用語と評判の程度を示す情報である評判程度情報を有する評判情報を１以上格納している。評判用語とは、例えば、「好き」「すごい」「すばらしい」「だめ」「いや」「故障」「不具合」「良品」など、対象の良し悪しを示す用語である。評判用語は、形容詞や名詞などであり、その品詞は問わない。また、評判程度情報は、例えば、−５から＋５までの数値である。また、評判程度情報は、「良い」「悪い」のどちらかの情報であっても良い。評判情報は、例えば、（大好き，５）、（すばらしい，５）、（良い，３）、（普通，０）、（嫌い，−３）、（大嫌い，−５）、（買わない，−４）、（大敵，−４）、（仲間，＋２）、（だめ，−３）などである。（大好き，５）は、評判用語「大好き」が、評判の程度が「５」（非常にポジティブ）であることを示す。（だめ，−３）は、評判用語「だめ」が、評判の程度が「−３」（かなりネガティブ）であることを示す。なお、評判情報のデータ構造は問わないことは言うまでもない。なお、評判情報は、通常、人手で作成され、評判情報格納部１１２０４に入力される。ただし、評判用語は、コーパスから自動取得しても良い。評判情報格納部１１２０４は、不揮発性の記録媒体が好適であるが、揮発性の記録媒体でも実現可能である。
【０１３５】
用語抽出部１１２０５は、１以上の各出力情報から１以上のキーワードと１以上の評判用語を抽出する。用語を抽出するアルゴリズムは公知技術であるので詳細な説明を省略する。なお、用語抽出部１１２０５は、いわゆる形態素解析を行って用語を抽出しても良い。また、用語抽出部１１２０５は、用語辞書を保持しており、当該用語辞書の中の用語のパターンマッチングを行うことにより用語を抽出しても良い。用語抽出部１１２０５は、例えば、一の文章の中にあるキーワードと評判用語を対にして抽出する。例えば、「夏は暑いので嫌いだ。」という文章の中から、用語抽出部１１２０５は、キーワード「夏」、評判用語「嫌い」を抽出し、（夏，嫌い）を得る。また、用語抽出部１１２０５は、例えば、一の段落の中にあるキーワードと評判用語を対にして抽出しても良い。この場合、例えば、「もうすぐ夏休みだ。海に行って遊ぶぞ。・・・。だから、この季節は好きなんだ。・・・・」といった段落が、出力情報に存在する場合、用語抽出部１１２０５は、例えば、キーワード「夏休み」、評判用語「好き」を抽出し、（夏休み，好き）を得る。キーワードに対する評判用語が複数回現れる場合に、用語抽出部１１２０５は、例えば、（キーワード，評判用語，回数）の構造を有する情報を得ても良い。用語抽出部１１２０５は、通常、ＭＰＵやメモリ等から実現され得る。用語抽出部１１２０５の処理手順は、通常、ソフトウェアで実現され、当該ソフトウェアはＲＯＭ等の記録媒体に記録されている。但し、ハードウェア（専用回路）で実現しても良い。
【０１３６】
評判程度情報検索部１１２０６は、用語抽出部１１２０５が抽出した１以上の各評判用語と対になる１以上の評判程度情報を評判情報格納部１１２０４から検索する。評判程度情報検索部１１２０６は、通常、ＭＰＵやメモリ等から実現され得る。評判程度情報検索部１１２０６の処理手順は、通常、ソフトウェアで実現され、当該ソフトウェアはＲＯＭ等の記録媒体に記録されている。但し、ハードウェア（専用回路）で実現しても良い。
【０１３７】
第二評判情報構成部１１２０７は、評判程度情報検索部１１２０６が検索した１以上の評判程度情報を用いて１以上の第二評判情報を構成する。例えば、評判程度情報が数値である場合、第二評判情報構成部１１２０７は、１以上の評判程度情報をパラメータとする関数に、１以上の評判程度情報を代入し、演算することにより、第二評判情報を得る。この関数は、例えば、１以上の評判程度情報をパラメータとして平均値を算出する関数や、中央値を算出する関数や、１以上の評判程度情報を加算する関数などである。ただし、関数は、全体の評判の程度を表す関数であれば良く、その内容は問わない。第二評判情報構成部１１２０７は、通常、ＭＰＵやメモリ等から実現され得る。第二評判情報構成部１１２０７の処理手順は、通常、ソフトウェアで実現され、当該ソフトウェアはＲＯＭ等の記録媒体に記録されている。但し、ハードウェア（専用回路）で実現しても良い。
【０１３８】
出力情報評価情報構成部１１２０８は、第二評判情報構成部１１２０７が構成した１以上の第二評判情報と用語抽出部１１２０５が抽出した１以上のキーワードと、用語抽出部１１２０５の処理対象の１以上の出力情報を識別する各出力情報識別情報（出力情報識別情報は、通常、メモリ上に記憶されている。）を用いて、１以上の出力情報評価情報を構成する。出力情報評価情報の例は、図６である。出力情報評価情報構成部１１２０８は、通常、ＭＰＵやメモリ等から実現され得る。出力情報評価情報構成部１１２０８の処理手順は、通常、ソフトウェアで実現され、当該ソフトウェアはＲＯＭ等の記録媒体に記録されている。但し、ハードウェア（専用回路）で実現しても良い。
【０１３９】
出力情報評価情報蓄積部１１２０９は、出力情報評価情報構成部１１２０８が構成した１以上の出力情報評価情報を出力情報評価情報格納部１２０２に蓄積する。出力情報評価情報蓄積部１１２０９は、通常、ＭＰＵやメモリ等から実現され得る。出力情報評価情報蓄積部１１２０９の処理手順は、通常、ソフトウェアで実現され、当該ソフトウェアはＲＯＭ等の記録媒体に記録されている。但し、ハードウェア（専用回路）で実現しても良い。
【０１４０】
次に、広告情報処理システムを構成する広告情報サーバ装置１１２において、出力情報評価情報を生成し、蓄積する動作について説明する。なお、広告情報サーバ装置１１２において、広告情報を検索し、端末装置１３に送信する動作については、実施の形態１において説明したので再度の説明は省略する。また、広告情報サーバ装置１１２において、出力情報収集部１１２０２が、１以上の情報サーバ装置１１から、出力情報を取得し、蓄積する動作は、出力情報評価情報を生成し、蓄積する動作とは同期せずに、独立に行うことができる。また、出力情報収集部１１２０２の動作は、出力情報評価情報を生成し、蓄積する動作の前動作として行うこともできる。さらに、出力情報収集部１１２０２が、１以上の情報サーバ装置１１から、出力情報を取得し、蓄積する処理は、公知技術である。したがって、ここでは、第二出力情報格納部１１２０１に１以上の出力情報が格納されている状況において、出力情報評価情報を生成し、蓄積する動作について図１２から図１４のフローチャートを用いて説明する。
【０１４１】
（ステップＳ１２０１）指示受付部１１２００は、出力情報評価情報の生成指示を受け付けたか否かを判断する。生成指示を受け付ければステップＳ１２０２に行き、生成指示を受け付けなければステップＳ１２０１に戻る。
【０１４２】
（ステップＳ１２０２）用語抽出部１１２０５は、カウンタｉに１を代入する。
【０１４３】
（ステップＳ１２０３）用語抽出部１１２０５は、第二出力情報格納部１１２０１に、ｉ番目の出力情報が存在するか否かを判断する。ｉ番目の出力情報が存在すればステップＳ１２０４に行き、ｉ番目の出力情報が存在しなければ処理を終了する。
【０１４４】
（ステップＳ１２０４）用語抽出部１１２０５は、ｉ番目の出力情報を第二出力情報格納部１１２０１から読み出す。この時、用語抽出部１１２０５は、ｉ番目の出力情報を特定する情報である出力情報識別情報をも読み出し、メモリ上に配置する。
【０１４５】
（ステップＳ１２０５）用語抽出部１１２０５は、ステップＳ１２０４で読み出したｉ番目の出力情報に対して、１以上のキーワードと１以上の評判用語を抽出する処理を行う。かかる処理を用語抽出処理という。用語抽出処理について、図１３のフローチャートを用いて説明する。
【０１４６】
（ステップＳ１２０６）出力情報評価情報構成部１１２０８などは、出力情報評価情報を構成する処理を行う。かかる処理を出力情報評価情報構成処理という。出力情報評価情報構成処理について、図１４のフローチャートを用いて説明する。
【０１４７】
（ステップＳ１２０７）出力情報評価情報蓄積部１１２０９は、出力情報評価情報構成部１１２０８が構成した１以上の出力情報評価情報を出力情報評価情報格納部１２０２に蓄積する。
【０１４８】
（ステップＳ１２０８）用語抽出部１１２０５は、カウンタｉを１、インクリメントする。ステップＳ１２０３に戻る。
【０１４９】
次に、ステップＳ１２０５の用語抽出処理について、図１３のフローチャートを用いて説明する。
【０１５０】
（ステップＳ１３０１）用語抽出部１１２０５は、カウンタｉに１を代入する。
【０１５１】
（ステップＳ１３０２）用語抽出部１１２０５は、ｉ番目のキーワードが用語辞書に存在するか否かを判断する。なお、本用語抽出処理の例において、用語辞書は、用語抽出部１１２０５が保持している、とする。用語辞書は、広告に付与し得るキーワード（用語）を多数保持している。ｉ番目のキーワードが用語辞書に存在すればステップＳ１３０３に行き、ｉ番目のキーワードが用語辞書に存在しなければステップＳ１３０６に行く。
【０１５２】
（ステップＳ１３０３）用語抽出部１１２０５は、ｉ番目のキーワードを用語辞書から読み出す。
【０１５３】
（ステップＳ１３０４）用語抽出部１１２０５は、読み出した処理対象の出力情報の０ｂｙｔｅ目からｉ番目のキーワードが存在するか否か、ファイルポインタ（ファイルオープンした時のリターン値）をずらしながらチェックし、ｉ番目のキーワードが存在すれば、そのファイルポインタが示すオフセット（ファイルの先頭からの位置）をｉ番目のキーワードと対にメモリに格納する。
【０１５４】
（ステップＳ１３０５）用語抽出部１１２０５は、カウンタｉを１、インクリメントする。ステップＳ１３０２に戻る。
【０１５５】
（ステップＳ１３０６）用語抽出部１１２０５は、カウンタｊに１を代入する。
【０１５６】
（ステップＳ１３０７）用語抽出部１１２０５は、メモリ上にｊ番目のキーワードが存在するか否かを判断する。ｊ番目のキーワードが存在すればステップＳ１３０８に行き、ｊ番目のキーワードが存在しなければ上位関数にリターンする。なお、ここでのメモリとは、ステップＳ１３０４でキーワードとオフセットを格納したメモリである。
【０１５７】
（ステップＳ１３０８）用語抽出部１１２０５は、ｊ番目のキーワードと、出力情報中の１以上のオフセット（ステップＳ１３０４で格納した情報）を読み出す。
【０１５８】
（ステップＳ１３０９）用語抽出部１１２０５は、カウンタｋに１を代入する。
【０１５９】
（ステップＳ１３１０）用語抽出部１１２０５は、ステップＳ１３０８で読み出した情報の中に、ｋ番目のオフセットが存在するか否かを判断する。ｋ番目のオフセットが存在すればステップＳ１３１１に行き、ｋ番目のオフセットが存在しなければステップＳ１３１９に行く。
【０１６０】
（ステップＳ１３１１）用語抽出部１１２０５は、ｋ番目のオフセットに対応する出力情報中の文を読み出す。
【０１６１】
（ステップＳ１３１２）用語抽出部１１２０５は、カウンタｌに１を代入する。
【０１６２】
（ステップＳ１３１３）用語抽出部１１２０５は、ｌ番目の評判用語が、評判情報格納部１１２０４に存在するか否かを判断する。ｌ番目の評判用語が存在すればステップＳ１３１４に行き、ｌ番目の評判用語が存在しなければステップＳ１３２０に行く。
【０１６３】
（ステップＳ１３１４）用語抽出部１１２０５は、ｌ番目の評判用語を評判情報格納部１１２０４から読み出す。
【０１６４】
（ステップＳ１３１５）用語抽出部１１２０５は、ｌ番目の評判用語を、ステップＳ１３１１で読み出した文中から検索し、取得する。また、用語抽出部１１２０５は、ステップＳ１３１１で読み出した文中に、ｌ番目の評判用語が出現する回数を取得する。
【０１６５】
（ステップＳ１３１６）用語抽出部１１２０５は、文中にｌ番目の評判用語が存在するか否かを判断する。ｌ番目の評判用語が存在すればステップＳ１３１７に行き、ｌ番目の評判用語が存在しなければステップＳ１３１８に行く。
【０１６６】
（ステップＳ１３１７）用語抽出部１１２０５は、キーワードとｌ番目の評判用語と出現回数を、メモリ上に追記する。なお、キーワードとｌ番目の評判用語の対の情報が既にメモリ上に存在する場合は、その対に対して、出現回数を加算して、出現回数の情報を更新する。なお、メモリには、一のキーワードと、１以上の評判用語と１以上の出現回数を有する情報が格納されている。また、評判用語と出現回数は対となっている。
【０１６７】
（ステップＳ１３１８）用語抽出部１１２０５は、カウンタｌを１、インクリメントする。ステップＳ１３１３に戻る。
【０１６８】
（ステップＳ１３１９）用語抽出部１１２０５は、カウンタｊを１、インクリメントする。ステップＳ１３０７に戻る。
【０１６９】
（ステップＳ１３２０）用語抽出部１１２０５は、カウンタｋを１、インクリメントする。ステップＳ１３１０に戻る。
【０１７０】
なお、図１３のフローチャートにおいて、一の用語抽出処理のアルゴリズムを示したが、他のアルゴリズムでも良いことは言うまでもない。例えば、一の文の読み出しのためにオフセットを用いたが、キーワードを検索した際に、そのキーワードを含む文を、直ちに読み出しても良い。
【０１７１】
次に、ステップＳ１２０６の出力情報評価情報構成処理について、図１４のフローチャートを用いて説明する。
【０１７２】
（ステップＳ１４０１）評判程度情報検索部１１２０６は、カウンタｉに１を代入する。
【０１７３】
（ステップＳ１４０２）評判程度情報検索部１１２０６は、用語抽出部１１２０５が抽出し、メモリ上に配置した情報の中に、ｉ番目のキーワードが存在するか否かを判断する。ｉ番目のキーワードが存在すればステップＳ１４０３に行き、ｉ番目のキーワードが存在しなければステップＳ１４１２に行く。
【０１７４】
（ステップＳ１４０３）評判程度情報検索部１１２０６は、カウンタｊに１を代入する。
【０１７５】
（ステップＳ１４０４）評判程度情報検索部１１２０６は、用語抽出部１１２０５が抽出し、メモリ上に配置した情報の中に、ｉ番目のキーワードに対応するｊ番目の評判用語が存在するか否かを判断する。ｊ番目の評判用語が存在すればステップＳ１４０５に行き、ｊ番目の評判用語が存在しなければステップＳ１４０９に行く。
【０１７６】
（ステップＳ１４０５）評判程度情報検索部１１２０６は、ｊ番目の評判用語を読み出し、当該評判用語に対応する評判程度情報を、評判情報格納部１１２０４から取得し、メモリ上に配置する。
【０１７７】
（ステップＳ１４０６）第二評判情報構成部１１２０７は、ステップＳ１４０５で取得した評判程度情報（数値である。）と、評判用語の出現回数（出現回数もメモリ上に記憶されている）を用いて演算し、キーワードに対するポジティブ度を算出するための元になる情報を得る。演算式は、例えば、「評判程度情報×出現回数」である。なお、演算式は問わない。また、ここで、出現回数もメモリ上に残しておく場合もあり得る。
【０１７８】
（ステップＳ１４０７）第二評判情報構成部１１２０７は、ステップＳ１４０６で算出した値を一時格納する。
【０１７９】
（ステップＳ１４０８）評判程度情報検索部１１２０６は、カウンタｊを１、インクリメントする。ステップＳ１４０４に戻る。
【０１８０】
（ステップＳ１４０９）第二評判情報構成部１１２０７は、ステップＳ１４０６で一時格納した値（元になる情報）を用いて演算を行い、ｉ番目のキーワードに対するポジティブ度を算出する。第二評判情報構成部１１２０７は、ステップＳ１４０６で一時格納した値が複数存在する場合、例えば、それらの値の平均値や中央値を取得することにより、ｉ番目のキーワードに対するポジティブ度を算出する。
【０１８１】
（ステップＳ１４１０）第二評判情報構成部１１２０７は、ｉ番目のキーワードと、ステップＳ１４０９で算出した値を対にして、メモリ等の記憶媒体に蓄積する。
【０１８２】
（ステップＳ１４１１）第二評判情報構成部１１２０７は、カウンタｉを１、インクリメントする。ステップＳ１４０２に戻る。
【０１８３】
（ステップＳ１４１２）出力情報評価情報構成部１１２０８は、メモリ上に存在する出力情報識別情報を読み出す。この出力情報識別情報は、処理対象の出力情報を識別する情報である。
【０１８４】
（ステップＳ１４１３）出力情報評価情報構成部１１２０８は、ステップＳ１４１０で蓄積されたキーワードと値の組を全組、読み出す。
【０１８５】
（ステップＳ１４１４）出力情報評価情報構成部１１２０８は、ステップＳ１４１２で読み出した出力情報識別情報、ステップＳ１４１３で読み出したキーワードと値の組の情報を用いて、出力情報評価情報を構成する。上位関数にリターンする。
【０１８６】
以下、本実施の形態における広告情報処理システムの具体的な動作について説明する。広告情報処理システムの概念図は図１である。具体的な動作の説明においても、出力情報評価情報を生成し、蓄積する動作についてのみ説明する。また、広告情報サーバ装置１１２において、広告情報を検索し、端末装置１３に送信する具体的な動作については、実施の形態１において説明したので再度の説明は省略する。
【０１８７】
出力情報収集部１１２０２が、図７に示すホームページ（出力情報の一種）の収集を完了し、出力情報蓄積部１１２０３は、出力情報収集部１１２０２が収集した１以上のホームページを第二出力情報格納部１１２０１に書き込んだ、とする。
【０１８８】
また、用語抽出部１１２０５は、図１５に示すキーワード（用語辞書）を保持している。さらに、評判情報格納部１１２０４は、図１６に示す評判情報管理表を保持している。評判情報管理表は、１以上の評判情報を管理する表であり、「ＩＤ」「評判用語」「評判程度情報」の属性を有するレコードを１以上保持している表である。「ＩＤ」は、レコードを識別する情報であり、表におけるレコード管理のために存在する。「評判用語」は、評判用語を管理する属性である。「評判程度情報」は、評判程度情報を管理する属性であり、ここでの評判程度情報は、「５」から「−５」の値をとり得る。「５」は、非常に肯定的であることを示す。一方、「−５」は、非常に否定的であることを示す。評判程度情報の数値が高いほど、よち肯定的であることを示す。
【０１８９】
かかる状況において、ユーザは、キーボードなどの入力手段を用いて、出力情報評価情報の生成指示を入力した、とする。
【０１９０】
次に、指示受付部１１２００は、出力情報評価情報の生成指示を受け付ける。
【０１９１】
次に、用語抽出部１１２０５は、一つ目の出力情報である「http://www.aaa.jp/」で識別されるホームページ（図７参照）を、第二出力情報格納部１１２０１から読み出す。また、用語抽出部１１２０５は、出力情報識別情報「http://www.aaa.jp/」をも読み出し、メモリ上に配置する。
【０１９２】
次に、用語抽出部１１２０５は、図１５の用語辞書から１番目のキーワード「日焼け」を読み出す。そして、用語抽出部１１２０５は、読み出した「http://www.aaa.jp/」で識別されるホームページから、キーワード「日焼け」を検索し、キーワード「日焼け」が存在するオフセットを抽出する。ここで、用語抽出部１１２０５は、キーワード「日焼け」が存在するオフセット「０」「６４」を抽出する。
【０１９３】
同様に、用語抽出部１１２０５は、図１５の用語辞書の２番目以降のキーワードについても、１番目のキーワード「日焼け」と同様の処理を行い、ここでは、４番目のキーワード「ワールドカップ」が存在するオフセット「２８８」「３１２」を抽出した、とする。なお、図７の「http://www.aaa.jp/」で識別されるホームページには、「ワールドカップ」のキーワードが現われていないが、「・・・・・」で省略されている文章中に、「ワールドカップ」のキーワードが現われている、とする。
【０１９４】
そして、用語抽出部１１２０５は、図１７に示すキーワード・オフセット管理表をメモリ上に書き込む。キーワード・オフセット管理表は、キーワードと１以上のオフセットを対に管理する表である。
【０１９５】
次に、用語抽出部１１２０５は、図１７の１番目のキーワード「日焼け」と、１以上のオフセット「０」「６４」を読み出す。
【０１９６】
次に、用語抽出部１１２０５は、１番目のオフセット「０」に対応する出力情報中の文「日焼けに注意！！」をメモリ上に読み出す。そして、用語抽出部１１２０５は、図１６の表中の評判用語が、文「日焼けに注意！！」中に存在するか否かを判断する。ここで、図１６の表中の２つ目の評判用語「注意」が、文「日焼けに注意！！」中に存在するので、用語抽出部１１２０５は、２番目の評判用語「注意」を、読み出した文「日焼けに注意！！」中から検索し、取得する。そして、用語抽出部１１２０５は、キーワード「日焼け」と２番目の評判用語「注意」と出現回数「１」を、メモリ上に追記する。
【０１９７】
次に、用語抽出部１１２０５は、２番目のオフセット「６４」に対応する出力情報中の文「女性の大敵、日焼け！！」をメモリ上に読み出す。そして、用語抽出部１１２０５は、図１６の表中の評判用語が、文「女性の大敵、日焼け！！」中に存在するか否かを判断する。ここで、図１６の表中の２つ目の評判用語「大敵」が、文「女性の大敵、日焼け！！」中に存在するので、用語抽出部１１２０５は、３番目の評判用語「大敵」を、読み出した文「女性の大敵、日焼け！！」中から検索し、取得する。そして、用語抽出部１１２０５は、キーワード「日焼け」と２番目の評判用語「大敵」と出現回数「１」を、メモリ上に追記する（図１８参照）。なお、図１８は、用語抽出部１１２０５が生成する評判用語出現管理表である。評判用語出現管理表は、キーワードにたいする評判用語と評判用語の出現回数を対にしたレコードを１以上管理する表である。
【０１９８】
また、キーワード「日焼け」と同様に、用語抽出部１１２０５は、キーワード「ワールドカップ」についても処理し、例えば、図１８に示すようなレコードを生成し、メモリ上に追記する。以上の処理により、用語抽出部１１２０５は、図１８の評判用語出現管理表を得る。
【０１９９】
次に、評判程度情報検索部１１２０６は、キーワード「日焼け」に対する評判用語「注意」の評判程度情報「−２」を図１６の評判情報管理表から検索し、メモリ上に書き込む。そして、第二評判情報構成部１１２０７は、取得した評判程度情報「−２」と、評判用語の出現回数「１」（図１８参照）を用いて、「評判程度情報×出現回数」の演算を行い、キーワード「日焼け」に対するポジティブ度を算出するための元になる情報「−２」を得て、当該値「−２」をメモリ上に格納する。
【０２００】
次に、同様に、評判程度情報検索部１１２０６は、キーワード「日焼け」に対する２つ目の評判用語「大敵」の評判程度情報「−４」を図１６の評判情報管理表から検索し、メモリ上に書き込む。そして、第二評判情報構成部１１２０７は、取得した評判程度情報「−４」と、評判用語の出現回数「１」（図１８参照）を用いて、「評判程度情報×出現回数」の演算を行い、キーワード「日焼け」に対するポジティブ度を算出するための元になる情報「−４」を得て、当該値「−４」をメモリ上に格納する。
【０２０１】
次に、第二評判情報構成部１１２０７は、一時格納した値「−２」と「−４」を用いて演算を行い、キーワード「日焼け」に対するポジティブ度を算出する。ここで、第二評判情報構成部１１２０７は、一時格納した複数の値の平均値を算出するものとする。したがって、第二評判情報構成部１１２０７は、一時格納した値「−２」と「−４」から、平均値「−３」を得る。そして、第二評判情報構成部１１２０７は、キーワード「日焼け」と、算出した値「−３」を対にして、メモリに蓄積する。
【０２０２】
次に、同様にキーワード「ワールドカップ」が処理される。つまり、評判程度情報検索部１１２０６は、キーワード「ワールドカップ」に対する１つ目の評判用語「すばらしい」の評判程度情報「５」を図１６の評判情報管理表から検索し、メモリ上に書き込む。そして、第二評判情報構成部１１２０７は、取得した評判程度情報「５」と、評判用語の出現回数「１」（図１８参照）を用いて、「評判程度情報×出現回数」の演算を行い、キーワード「日焼け」に対するポジティブ度を算出するための元になる情報「５」を得て、当該値「５」をメモリ上に格納する。
【０２０３】
次に、評判程度情報検索部１１２０６は、キーワード「ワールドカップ」に対する２つ目の評判用語「良い」の評判程度情報「４」を評判情報管理表から検索し、メモリ上に書き込む。そして、第二評判情報構成部１１２０７は、取得した評判程度情報「４」と、評判用語の出現回数「２」（図１８参照）を用いて、「評判程度情報×出現回数」の演算を行い、キーワード「日焼け」に対するポジティブ度を算出するための元になる情報「８」を得て、当該値「８」をメモリ上に格納する。
【０２０４】
次に、第二評判情報構成部１１２０７は、一時格納した値「５」と「８」を用いて、出現回数あたりの平均値を算出し、「（５＋８）／３」を実行し、「４．３」（小数点第２位四捨五入）を得る。そして、第二評判情報構成部１１２０７は、キーワード「ワールドカップ」と、算出した値「４．３」を対にして、メモリに蓄積する。なお、平均値を算出する際の数値「３」は、出現回数の合計であり、第二評判情報構成部１１２０７は、１以上の各キーワードの出現回数をメモリ上から読み取り、和算し、出現回数の合計を算出する。
【０２０５】
次に、出力情報評価情報構成部１１２０８は、メモリ上に存在する出力情報識別情報「http://www.aaa.jp/」を読み出す。
【０２０６】
また、出力情報評価情報構成部１１２０８は、蓄積されたキーワードと値の組を全組（「日焼け，−３．０」「ワールドカップ，４．３」）を読み出す。
【０２０７】
そして、出力情報評価情報構成部１１２０８は、読み出した出力情報識別情報「http://www.aaa.jp/」と、読み出したキーワードと値の組の情報（「日焼け，−３．０」「ワールドカップ，４．３」）を用いて、出力情報評価情報を構成する。
【０２０８】
次に、出力情報評価情報蓄積部１１２０９は、出力情報評価情報構成部１１２０８が構成した出力情報評価情報を出力情報評価情報格納部１２０２に蓄積する。この蓄積した結果が、図６の「ＩＤ＝１」のレコードの情報である。
【０２０９】
以下、同様に、図７のホームページ「http://www.bbb.jp/」の処理を行い、図６の「ＩＤ＝２」のレコードの情報が出力情報評価情報格納部１２０２に書き込まれる。
【０２１０】
さらに、第二出力情報格納部１１２０１の他の出力情報も同様に処理され、出力情報評価情報が生成され、出力情報評価情報格納部１２０２に書き込まれる。
【０２１１】
以上、本実施の形態によれば、ブログやＳＮＳや掲示板など出力情報の解析を自動的に行え、上記の出力情報評価情報を作成する労力を軽減できる。つまり、本実施の形態によれば、自動的に出力情報評価情報が生成できる。
【０２１２】
なお、広告情報サーバ装置において出力情報評価情報を自動生成する機能を有する場合、当該機能は、本実施の形態において説明したアルゴリズムに限られないことは言うまでもない。
【０２１３】
さらに、本実施の形態における広告情報サーバ装置を実現するソフトウェアは、以下のようなプログラムである。つまり、このプログラムは、キーワードと評判に関する情報である第一評判情報と広告情報とを有する出力広告情報を1以上、記録媒体に格納しており、出力情報を識別する情報である出力情報識別情報とキーワードと評判に関する情報である第二評判情報を有する出力情報評価情報を１以上、記録媒体に格納しており、コンピュータに、端末装置から出力情報識別情報を受信し、当該出力情報識別情報をメモリ上に配置するステップと、前記メモリ上に配置した出力情報識別情報に対応するキーワードと第二評判情報を、前記記録媒体から読み出し、メモリ上に配置するステップと、当該キーワードと第二評判情報と所定の関係があるキーワードと第一評判情報を検索し、前記記録媒体から読み出し、メモリ上に配置するステップと、当該キーワードと第一評判情報と対になる広告情報を、前記記録媒体から検索するステップと、前記検索した広告情報を前記端末装置に送信するステップを実行させるためのプログラム、である。
【０２１４】
さらに、評判を示す用語である評判用語と評判の程度を示す情報である評判程度情報を有する評判情報を１以上、記録媒体に格納しており、上記のプログラムにおいて、コンピュータに、記録媒体に格納されている１以上の各出力情報を読み出し、当該１以上の各出力情報から１以上のキーワードと１以上の評判用語を抽出し、メモリ上に配置する用語抽出ステップと、前記用語抽出ステップで抽出した１以上の各評判用語と対になる１以上の評判程度情報を前記記録媒体から検索する評判程度情報検索ステップと、前記評判程度情報検索ステップで検索した１以上の評判程度情報を用いて１以上の第二評判情報を構成する第二評判情報構成ステップと、前記第二評判情報構成ステップで構成した１以上の第二評判情報と前記用語抽出ステップで抽出した１以上のキーワードと、前記用語抽出ステップにおける処理対象の１以上の出力情報を識別する各出力情報識別情報を用いて、１以上の出力情報評価情報を構成する出力情報評価情報構成ステップと、前記出力情報評価情報構成ステップで構成した１以上の出力情報評価情報を記録媒体に蓄積する出力情報評価情報蓄積ステップとをさらに実行させるためのプログラム、である。
【０２１５】
また、上記各実施の形態において、各処理（各機能）は、単一の装置（システム）によって集中処理されることによって実現されてもよく、あるいは、複数の装置によって分散処理されることによって実現されてもよい。
【０２１６】
また、図１９は、本明細書で述べたプログラムを実行して、上述した種々の実施の形態の広告情報サーバ装置や情報サーバ装置や端末装置を実現するコンピュータの外観を示す。上述の実施の形態は、コンピュータハードウェア及びその上で実行されるコンピュータプログラムで実現され得る。図１９は、このコンピュータシステム３４０の概観図であり、図２０は、コンピュータシステム３４０のブロック図である。
【０２１７】
図１９において、コンピュータシステム３４０は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３４１と、キーボード３４２と、マウス３４３と、モニタ３４４とを含む。
【０２１８】
図２０において、コンピュータ３４１は、ＦＤドライブ３４１１、ＣＤ−ＲＯＭドライブ３４１２に加えて、ＣＰＵ（Ｃｅｎｔｒａｌ  Ｐｒｏｃｅｓｓｉｎｇ  Ｕｎｉｔ）３４１３と、ＣＰＵ３４１３、ＣＤ−ＲＯＭドライブ３４１２及びＦＤドライブ３４１１に接続されたバス３４１４と、ブートアッププログラム等のプログラムを記憶するためのＲＯＭ（Ｒｅａｄ−Ｏｎｌｙ  Ｍｅｍｏｒｙ）３４１５と、ＣＰＵ３４１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０２１９】
コンピュータシステム３４０に、上述した実施の形態の広告情報サーバ装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０２２０】
プログラムは、コンピュータ３４１に、上述した実施の形態の広告情報サーバ装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０２２１】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２２２】
また、上記プログラムを実行するコンピュータは、単数であってもよく、複数であってもよい。すなわち、集中処理を行ってもよく、あるいは分散処理を行ってもよい。
【０２２３】
また、上記各実施の形態において、一の装置に存在する２以上の通信手段は、物理的に一の媒体で実現されても良いことは言うまでもない。
【０２２４】
本発明は、以上の実施の形態に限定されることなく、種々の変更が可能であり、それらも本発明の範囲内に包含されるものであることは言うまでもない。
【産業上の利用可能性】
【０２２５】
以上のように、本発明にかかる広告情報処理システムは、有効に広告を提示できる、という効果を有し、広告情報を出力するシステム等として有用である。
【図面の簡単な説明】
【０２２６】
【図１】実施の形態１における広告情報処理システムの概念図
【図２】同広告情報処理システムのブロック図
【図３】同広告情報サーバ装置の動作について説明するフローチャート
【図４】同条件合致判断の処理について説明するフローチャート
【図５】同出力広告情報管理表を示す図
【図６】同出力情報評価情報管理表を示す図
【図７】同出力情報の例を示す図
【図８】同広告情報の出力例を示す図
【図９】実施の形態２における広告情報処理システムの概念図
【図１０】同広告情報処理システムのブロック図
【図１１】実施の形態３における広告情報処理システムのブロック図
【図１２】同出力情報評価情報の生成、蓄積処理について説明するフローチャート
【図１３】同用語抽出処理の動作について説明するフローチャート
【図１４】同出力情報評価情報構成処理の動作について説明するフローチャート
【図１５】同用語辞書の例を示す図
【図１６】同評判情報管理表を示す図
【図１７】同キーワード・オフセット管理表を示す図
【図１８】同メモリ上の中間情報を示す図
【図１９】同広告情報サーバ装置の外観図
【図２０】同広告情報サーバ装置を構成するコンピュータシステムのブロック図
【符号の説明】
【０２２７】
１１  情報サーバ装置
１２、９２、１１２  広告情報サーバ装置
１３、９３  端末装置
１１０１  出力情報格納部
１１０２  出力要求受信部
１１０３  出力情報送信部
１２０１  出力広告情報格納部
１２０２  出力情報評価情報格納部
１２０３  出力情報識別情報受信部
１２０４  広告情報検索部
１２０５  広告情報送信部
１３０１  受付部
１３０２、９３０２  出力要求送信部
１３０３、９３０３  出力情報受信部
１３０４  出力情報識別情報送信部
１３０５  広告情報受信部
１３０６  出力部
１１２００  指示受付部
１１２０１  第二出力情報格納部
１１２０２  出力情報収集部
１１２０３  出力情報蓄積部
１１２０４  評判情報格納部
１１２０５  用語抽出部
１１２０６  評判程度情報検索部
１１２０７  第二評判情報構成部
１１２０８  出力情報評価情報構成部
１１２０９  出力情報評価情報蓄積部
【図１】
2008052463.tif 000003
【図２】
2008052463.tif 000004
【図３】
2008052463.tif 000005
【図４】
2008052463.tif 000006
【図５】
2008052463.tif 000007
【図６】
2008052463.tif 000008
【図７】
2008052463.tif 000009
【図９】
2008052463.tif 000010
【図１０】
2008052463.tif 000011
【図１１】
2008052463.tif 000012
【図１２】
2008052463.tif 000013
【図１３】
2008052463.tif 000014
【図１４】
2008052463.tif 000015
【図１５】
2008052463.tif 000016
【図１６】
2008052463.tif 000017
【図１７】
2008052463.tif 000018
【図１８】
2008052463.tif 000019
【図１９】
2008052463.tif 000020
【図２０】
2008052463.tif 000021
【図８】
2008052463.tif 000022